(57)【要約】      （修正有）【課題】大型化するのを抑制しながら、透明度の高い氷を製氷することが可能な製氷装置およびそれを備えた冷蔵庫を提供する。【解決手段】この製氷装置２０は、氷を製氷するための製氷皿２１と、該製氷皿２１の製氷ポケット２２の壁部２２ｂに設けられた第１電極２３を備え、該第１電極２３に第１の電位を印加して該製氷皿２１の該製氷ポケット２２の内部に電界を生じさせることにより、該製氷ポケット２２の水内部の気泡を収集する。【選択図】図２
2014066460.tif 000002
【特許請求の範囲】
【請求項１】
氷を製氷するための製氷皿と、
第１の電位が印加されて前記製氷皿の製氷ポケットの内部に電界を生じさせ、前記製氷ポケットの水内部の気泡を収集する第１電極と、
を備えることを特徴とする製氷装置。
【請求項２】
前記製氷ポケットは、底部と、壁部とを備え、
前記第１電極は前記壁部に設けられていることを特徴とする請求項１に記載の製氷装置。
【請求項３】
前記製氷皿には前記製氷ポケットが複数設けられており、
前記第１電極は、隣接する前記製氷ポケットの境界部の前記壁部に設けられていることを特徴とする請求項２に記載の製氷装置。
【請求項４】
前記第１の電位とは異なる第２の電位が印加される第２電極を備え、
前記第１電極および前記第２電極は、前記製氷ポケットの対向する２つの前記壁部にそれぞれ設けられていることを特徴とする請求項２または３に記載の製氷装置。
【請求項５】
前記製氷皿は導電性を有し、
前記第１電極は、前記壁部の外壁面に設けられていることを特徴とする請求項２〜４のいずれか１項に記載の製氷装置。
【請求項６】
前記壁部の内壁面には、気泡の通り道となる複数の溝部が上方に向かって延びるように形成されていることを特徴とする請求項２〜５のいずれか１項に記載の製氷装置。
【請求項７】
前記壁部を加熱する加熱部材を備えることを特徴とする請求項２〜６のいずれか１項に記載の製氷装置。
【請求項８】
前記壁部の少なくとも一部を覆うように配置される断熱部材を備えることを特徴とする請求項２〜７のいずれか１項に記載の製氷装置。
【請求項９】
前記製氷皿には、給水量の上限を規定する水位線が設けられており、
前記第１電極は、前記水位線よりも下方に配置されていることを特徴とする請求項１〜８のいずれか１項に記載の製氷装置。
【請求項１０】
前記第１電極は膜状またはワイヤ状に形成されていることを特徴とする請求項１〜９のいずれか１項に記載の製氷装置。
【請求項１１】
請求項１〜１０のいずれか１項に記載の製氷装置を備えることを特徴とする冷蔵庫。
【発明の詳細な説明】
【技術分野】
【０００１】
この発明は製氷装置およびそれを備えた冷蔵庫に関する。
【背景技術】
【０００２】
従来、製氷装置およびそれを備えた冷蔵庫が知られている（例えば、特許文献１および２参照）。特許文献１には、水を給水した製氷皿を蓋で密閉した後、製氷皿周囲の空気を減圧ポンプで吸引する製氷装置が開示されている。この製氷装置では、製氷皿内部の圧力を大気圧以下に負圧化することにより、水に溶解している空気などの溶存ガスの脱気が促進され、溶存ガス濃度が低下し、製氷時に氷内部に残留する気泡が減少し、白濁のない透明氷を製氷することが可能である。また、氷が成長している段階において、加熱手段により製氷皿の水表面を加熱して凍結を遅延させることにより、水表面からの脱気がさらに促進され、水表面が凍結することによる脱気不足の課題を解消できる。
【０００３】
特許文献２には、製氷皿にセパレータを設け、セパレータにより製氷皿を透明氷部と白濁氷部とに上下に区分けした製氷装置を備えた冷蔵庫が開示されている。セパレータには複数の貫通穴が形成されており、水や水内部の空気等は透明氷部と白濁氷部との間を行き来できる。この冷蔵庫では、製氷皿の上方から冷却し、水表面から下方に向けて一方向の凍結を行うことにより、透明氷部には透明な氷が製氷され、白濁氷部には白濁した氷が製氷される。そして、透明氷部の氷だけが製氷皿から離氷される。
【先行技術文献】
【特許文献】
【０００４】
【特許文献１】特開２００９−２４３８２６号公報
【特許文献２】特許第３９１０５４４号公報
【発明の概要】
【発明が解決しようとする課題】
【０００５】
しかしながら、上記特許文献１では、空気を吸引するための減圧ポンプが必要であるので、製氷装置が大型化するという問題点がある。
【０００６】
また、上記特許文献２では、白濁した氷が製氷される白濁氷部を製氷皿に設けるので、製氷皿が大型化するという問題点がある。
【０００７】
この発明は、上記のような課題を解決するためになされたものであり、この発明の目的は、大型化するのを抑制しながら、透明度の高い氷を製氷することが可能な製氷装置およびそれを備えた冷蔵庫を提供することである。
【課題を解決するための手段】
【０００８】
上記目的を達成するために、この発明の製氷装置は、氷を製氷するための製氷皿と、第１の電位が印加されて製氷皿の製氷ポケットの内部に電界を生じさせ、製氷ポケットの水内部の気泡を収集する第１電極と、を備える。
【０００９】
この発明の製氷装置では、上記のように、製氷皿の製氷ポケットの内部に電界を生じさせ、製氷ポケットの水内部の気泡を収集する第１電極を備える。これにより、水内部の気泡を製氷ポケットの内面に移動させることができるので、氷内部に気泡が残るのを抑制することができる。その結果、透明度の高い氷を製氷することができる。
【００１０】
また、上記特許文献１とは異なり、空気を吸引するための減圧ポンプを設ける必要がないので、製氷装置が大型化するのを抑制することができる。また、上記特許文献２とは異なり、白濁した氷が製氷される白濁氷部を製氷皿に設ける必要がないので、製氷皿が大型化するのを抑制することができる。
【００１１】
上記製氷装置において、好ましくは、製氷ポケットは、底部と、壁部とを備え、第１電極は壁部に設けられている。第１電極が底部に設けられている場合、気泡は浮力により水の内部に再度取り込まれやすくなる。このため、上記のように、第１電極を壁部に設けることによって、第１電極を底部に設ける場合に比べて、より透明度の高い氷を製氷することができる。
【００１２】
上記製氷ポケットが底部と壁部とを備える製氷装置において、好ましくは、製氷皿には製氷ポケットが複数設けられており、第１電極は、隣接する製氷ポケットの境界部の壁部に設けられている。隣接する製氷ポケットの境界部の壁部は冷気が当たりにくく凍結が遅くなる。このため、上記のように、第１電極を、隣接する製氷ポケットの境界部の壁部に設けることによって、第１電極を凍結の遅い部分に配置することができるので、凍結により気泡が移動できなくなるのを抑制することができる。
【００１３】
上記製氷ポケットが底部と壁部とを備える製氷装置において、好ましくは、第１の電位とは異なる第２の電位が印加される第２電極を備え、第１電極および第２電極は、製氷ポケットの対向する２つの壁部にそれぞれ設けられている。このように構成すれば、電界を容易に製氷ポケットの内部全体に生じさせることができるので、容易に、より透明度の高い氷を製氷することができる。
【００１４】
上記製氷ポケットが底部と壁部とを備える製氷装置において、好ましくは、製氷皿は導電性を有し、第１電極は、壁部の外壁面に設けられている。このように、製氷皿が導電性を有することにより、第１電極を壁部の外壁面に設けることができる。そして、第１電極を壁部の外壁面に設ける（内壁面に設けない）ことによって、第１電極の一部または全体が製氷ポケットから剥離して氷の内部に混入するリスクを無くすことができる。
【００１５】
上記製氷ポケットが底部と壁部とを備える製氷装置において、好ましくは、壁部の内壁面には、気泡の通り道となる複数の溝部が上方に向かって延びるように形成されている。このように構成すれば、内壁面上の気泡を製氷ポケットの外部に容易に逃がすことができる。
【００１６】
上記製氷ポケットが底部と壁部とを備える製氷装置において、好ましくは、壁部を加熱する加熱部材を備える。このように構成すれば、水の凍結を局所的に遅くすることができ、脱気経路を確保することができる。これにより、脱気効率を向上させることができるので、より透明度の高い氷を製氷することができる。
【００１７】
上記製氷ポケットが底部と壁部とを備える製氷装置において、好ましくは、壁部の少なくとも一部を覆うように配置される断熱部材を備える。このように構成すれば、断熱部材により冷気が壁部に直接当たるのを防ぎ、水の凍結を局所的に遅くすることができるので、脱気経路を確保することができる。これにより、脱気効率を向上させることができるので、より透明度の高い氷を製氷することができる。また、加熱部材を覆うように断熱部材を配置すれば、熱が逃げるのを抑制し、加熱効率を向上させることができる。
【００１８】
上記製氷装置において、好ましくは、製氷皿には、給水量の上限を規定する水位線が設けられており、第１電極は、水位線よりも下方に配置されている。このように構成すれば、水に効果的に電界を与えることができるので、第１電極に過剰な電圧を印加せずにすむ。
【００１９】
上記製氷装置において、好ましくは、第１電極は膜状またはワイヤ状に形成されている。このように構成すれば、離氷時に製氷皿をねじる際に第１電極が破損するのを抑制することができる。
【００２０】
この発明の冷蔵庫は、上記の構成の製氷装置を備える。このように構成すれば、大型化するのを抑制しながら、透明度の高い氷を製氷することが可能な冷蔵庫を得ることができる。
【発明の効果】
【００２１】
以上のように、本発明によれば、大型化するのを抑制しながら、透明度の高い氷を製氷することが可能な製氷装置およびそれを備えた冷蔵庫を容易に得ることができる。
【図面の簡単な説明】
【００２２】
【図１】本発明の第１実施形態の冷蔵庫の要部を示した側面断面図である。
【図２】本発明の第１実施形態の冷蔵庫の製氷皿の構造を説明するための断面図である。
【図３】本発明の第１実施形態の冷蔵庫の製氷皿の壁部の構造を説明するための図である。
【図４】本発明の第２実施形態の冷蔵庫の製氷皿の構造を説明するための断面図である。
【図５】本発明の第３実施形態の冷蔵庫の製氷皿の構造を説明するための断面図である。
【発明を実施するための形態】
【００２３】
以下、本発明の実施形態について図面を参照して説明する。なお、理解を容易にするために、断面図であってもハッチングを施さない場合がある。
【００２４】
＜第１実施形態＞
図１〜図３を参照して、本発明の一実施形態による冷蔵庫１の構造について説明する。冷蔵庫１は図１に示すように上部に冷蔵室２が配置され、冷蔵室２の下方に野菜室１８が配される。冷蔵室２は貯蔵物を冷蔵保存し、野菜室１８は冷蔵室２よりも高温の野菜等の保存に適した冷蔵温度で貯蔵物を冷蔵保存する。
【００２５】
野菜室１８の下方には冷凍室（不図示）に連通する製氷室３が配置される。冷凍室及び製氷室３は氷点よりも低温に維持される。冷蔵室２は扉８により開閉され、製氷室３は扉１３により開閉される。また、冷蔵庫１には冷蔵室２に配される給水部５と製氷室３に配される製氷部６とを有した製氷装置２０が設けられている。
【００２６】
給水部５は給水タンク４、給水パイプ１４、給水ポンプ７、給水タンク検知部１９及び凍結防止ヒータ１５を備えている。給水タンク４は製氷用の水が貯水され、扉８の開閉によって冷蔵室２から着脱自在に配される。給水パイプ１４は給水タンク４から導出され、製氷部６の製氷皿２１上まで延びて設けられる。
【００２７】
給水ポンプ７は給水パイプ１４の経路中に配され、給水タンク４から水を汲上げて製氷皿２１に給水を行う。給水タンク検知部１９は給水タンク４の装着状態を検知する。凍結防止ヒータ１５は給水パイプ１４に接して設けられ、給水パイプ１４内を流通する水の凍結を防止する。給水タンク４の周辺に凍結防止ヒータを設けてもよい。これにより、給水タンク４内の水の凍結が防止される。
【００２８】
製氷室３には貯氷容器１１の上方に製氷装置２０の製氷部６が配される。貯氷容器１１は氷１６を貯氷し、扉１３の開閉により出し入れすることができる。なお、貯氷容器１１を出し入れしても、製氷部６は製氷室３の中に留まったままである。製氷部６は製氷皿２１、製氷モータ１０及び検知レバー１７を備えている。製氷皿２１は給水タンク４から給水され、氷点よりも低温の製氷室３内で氷１６を製氷する。製氷モータ１０は製氷皿２１に連結される回転軸１２を有し、製氷皿２１を回転駆動する。製氷皿２１が捻りながら回転することにより離氷が行われる。検知レバー１７は貯氷容器１１が満量か否かを検知する。
【００２９】
製氷皿２１はプラスチック等の変形可能な材料からなり、回転軸１２で回転可能に配される。製氷皿２１には上面を開口した複数の製氷ポケット２２が設けられる。本実施形態の製氷ポケット２２は回転軸１２の軸方向に対して直交する方向（左右方向）に２列並設され、前記軸方向（前後方向）に例えば４列並設される。各製氷ポケット２２は図２に示すように、底部２２ａと、４つの壁部２２ｂとによって形成されている。
【００３０】
隣接する製氷ポケット２２同士は、図示しない水路により繋がっており、給水パイプ１４の直下の製氷ポケット２２から水路を介して全ての製氷ポケット２２に給水が行われる。
【００３１】
各製氷ポケット２２において、回転軸１２の軸方向に延びる一対の壁部２２ｂ（左右方向に対向する２つの壁部）の下部には、第１の電位が印加される第１電極２３と、第１の電位とは異なる第２の電位が印加される第２電極２４とが設けられている。本実施形態では、第１電極２３および第２電極２４は壁部２２ｂの内壁面に設けられている。また、第１電極２３は左右方向の内側の壁部２２ｂに設けられている。すなわち、第１電極２３は左右方向に隣接する製氷ポケット２２の境界部の壁部２２ｂ（対向する製氷ポケット２２が存在する壁部２２ｂ）に設けられている。冷気は上側から製氷皿２１に吹き付けられており、内側の壁部２２ｂには当たりにくい。このため、第１電極２３は、冷気が当たりにくく凍結が遅くなる部分に設けられていることになる。
【００３２】
また、第１電極２３には例えば正電位（第１の電位）が印加され、第２電極２４には第１電極２３よりも低い電位（第２の電位）が印加される。具体的には、第１電極２３は電源装置２５に電気的に接続されており、第２電極２４は接地されている。そして、第１電極２３に所定の電位が印加されると、製氷ポケット２２の内部に電界が生じる。なお、第１電極２３には製氷時にのみ電位が印加される。
【００３３】
ここで、一般的な中性の水において、水内部の気泡は負に帯電するので、第１電極２３に正電位を印加することにより、気泡は第１電極２３側に移動して収集される。
【００３４】
また、一般的な水において、気泡のサイズは数μｍ以下、気泡の表面電位は−数十ｍＶ以上である。第１電極２３と第２電極２４との間の電位差は、水が解離するほど大きく設定する必要はないが、気泡を移動させるのに十分な大きさに設定すべきである。このため、第１電極２３と第２電極２４との間の電位差を数ｍＶ〜数Ｖにし、電界を約５ｍＶ／ｍｍ〜約５００ｍＶ／ｍｍに設定することが好ましい。なお、第１電極２３に印加する電位は、気泡を移動させることができるのであれば、一定ではなくパルス状であってもよい。
【００３５】
製氷皿２１には給水量の上限を規定する水位線２１ａ（図３参照）が設けられており、第１電極２３および第２電極２４は水位線２１ａよりも下方に配置されている。また、第１電極２３および第２電極２４は、例えば薄膜状に形成されている。なお、第１電極２３および第２電極２４は、ワイヤ状に形成されていてもよい。
【００３６】
第１電極２３が設けられた壁部２２ｂの内壁面には図３に示すように、気泡の通り道となって気泡を外部に逃がす複数の溝部２２ｃが上方に向かって延びるように形成されている。溝部２２ｃは水位線２１ａよりも上側まで形成されている。溝部２２ｃの深さは、離氷時のねじりに要する力との兼ね合いで設定される。例えば、溝部２２ｃの深さは、溝部２２ｃの幅以下の大きさに設定される。
【００３７】
また、製氷ポケット２２の内壁面は溝部２２ｃによる段差を除いて、摩擦係数の小さい平滑面に形成されている。これにより、内壁面に集められた気泡が内壁面上を移動しやすくなるので、脱気効率が向上する。また、離氷後の氷の表面が滑らかになる。
【００３８】
次に、製氷装置２０による製氷動作について説明する。
【００３９】
給水タンク４が装着されたことを給水タンク検知部１９により検知すると、凍結防止ヒータ１５が駆動される。製氷皿２１に給水されていないことが給水検知部（図示しない）により検知されると、給水ポンプ７を駆動して製氷皿２１の製氷ポケット２２内に給水が行われる。製氷皿２１の水位線２１ａまで給水が行われると、給水ポンプ７が停止される。
【００４０】
そして、図示しない送風装置により冷気が製氷皿２１に吹き付けられ、製氷ポケット２２内の水が上部から徐々に凍結する。このとき、第１電極２３には所定の電位が印加され、製氷ポケット２２の内部に電界が生じている。このため、製氷ポケット２２内の水内部の気泡が第１電極２３側に移動して収集される。壁部２２ｂに集められた気泡の大部分は、溝部２２ｃ内を上側に移動し外部に逃がされる。壁部２２ｂに集められた気泡の残りは、氷と壁部２２ｂとの境界部分に残る。このようにして、透明な氷が製氷される。なお、氷と壁部２２ｂとの境界部分に気泡が残ることにより、氷と壁部２２ｂとの接触面積が小さくなるので、後に行われる離氷が容易になる。
【００４１】
製氷皿２１に給水した後、所定時間が経過すると製氷が完了したと判断される。その後、検知レバー１７によって貯氷容器１１が満量でないことが検知されると、離氷動作が行われる。即ち、製氷モータ１０によって製氷皿２１が回転駆動される。製氷皿２１は製氷ポケット２２の上面が下方に面した位置で回転軸１２から離れた軸方向の一端が係止され、更に回転軸１２を回転することによって捻られる。これにより、製氷ポケット２２から氷１６が離氷して落下し、貯氷容器１１に貯氷される。
【００４２】
本実施形態では、上記のように、製氷皿２１の製氷ポケット２２の内部に電界を生じさせ、製氷ポケット２２の水内部の気泡を収集する第１電極２３を備える。これにより、水内部の気泡を製氷ポケット２２の壁部２２ｂの内壁面に移動させることができるので、氷内部に気泡が残るのを抑制することができる。その結果、透明度の高い氷を製氷することができる。
【００４３】
また、上記特許文献１とは異なり、空気を吸引するための減圧ポンプを設ける必要がないので、製氷装置２０が大型化するのを抑制することができる。また、上記特許文献１とは異なり、減圧する必要がないので、水分が蒸発して熱交換器等に霜が付くのを抑制することができる。また、上記特許文献１とは異なり、製氷皿２１の蓋を開閉する機構が必要ないので、構造が複雑になるのを抑制することができる。また、上記特許文献２とは異なり、白濁した氷が製氷される白濁氷部を製氷皿２１に設ける必要がないので、製氷皿２１が大型化するのを抑制することができる。
【００４４】
また、上記のように、第１電極２３を壁部２２ｂに設けている。第１電極２３を底部２２ａに設けた場合、気泡は浮力により水の内部に再度取り込まれやすくなる。このため、上記のように、第１電極２３を壁部２２ｂに設けることによって、第１電極２３を底部２２ａに設ける場合に比べて、より透明度の高い氷を製氷することができる。
【００４５】
また、上記のように、第１電極２３を、隣接する製氷ポケット２２の境界部の壁部２２ｂ（内側の壁部２２ｂ）に設けることによって、第１電極２３を凍結の遅い部分に配置することができるので、凍結により気泡が移動できなくなるのを抑制することができる。
【００４６】
また、上記のように、第１電極２３および第２電極２４は、製氷ポケット２２の対向する２つの壁部２２ｂにそれぞれ設けられている。これにより、電界を容易に製氷ポケット２２の内部全体に生じさせることができるので、容易に、より透明度の高い氷を製氷することができる。
【００４７】
また、上記のように、壁部２２ｂの内壁面には、気泡の通り道となる複数の溝部２２ｃが上方に向かって延びるように形成されている。これにより、内壁面上の気泡を製氷ポケット２２の外部に容易に逃がすことができる。
【００４８】
また、上記のように、第１電極２３および第２電極２４は、水位線２１ａよりも下方に配置されている。これにより、水に効果的に電界を与えることができるので、第１電極２３に過剰な電圧を印加せずにすむ。
【００４９】
また、上記のように、第１電極２３および第２電極２４は薄膜状またはワイヤ状に形成されている。これにより、離氷時に製氷皿２１をねじる際に第１電極２３および第２電極２４が破損するのを抑制することができる。
【００５０】
＜第２実施形態＞
この第２実施形態では、図４を参照して、上記第１実施形態とは異なり、第１電極２３の近傍にヒータ２６を設ける場合について説明する。なお、図４では図面簡略化のため、第１電極２３および第２電極２４の電気配線や電源装置２５を省略している。このことは、第３実施形態の図５も同様である。
【００５１】
本発明の第２実施形態では図４に示すように、第１電極２３の近傍に壁部２２ｂを加熱するヒータ（加熱部材）２６が設けられている。ヒータ２６の下方には、断熱カバー（断熱部材）２７が配置されている。この断熱カバー２７は、製氷ポケット２２の底部２２ａと壁部２２ｂの少なくとも一部とを覆うように配置されている。なお、断熱カバー２７はネジ等（図示せず）を用いて製氷皿２１に取り付けられている。
【００５２】
本実施形態では、製氷時にヒータ２６が駆動される。これにより、第１電極２３周辺の水の凍結を遅くしたり、第１電極２３周辺の凍結した氷を融解することが可能である。
【００５３】
なお、水の凍結がある程度進むまでは、気泡が発生しにくく電界を与える必要がないため、製氷皿２１に給水した後、所定時間が経過するまでは第１電極２３に電圧を印加しなくてもよい。このように構成すれば、電力消費を抑制することが可能である。
【００５４】
第２実施形態のその他の構造は、上記第１実施形態と同様である。
【００５５】
本実施形態では、上記のように、壁部２２ｂを加熱するヒータ２６を備える。これにより、水の凍結を局所的に遅くすることができ、脱気経路を確保することができる。このため、脱気効率を向上させることができるので、より透明度の高い氷を製氷することができる。また、第１電極２３が設けられた壁部２２ｂを加熱することにより、第１電極２３周辺の水の凍結を遅くしたり、第１電極２３周辺の凍結した氷を融解することができるので、より脱気効率を向上させることができる。
【００５６】
また、上記のように、壁部２２ｂの少なくとも一部を覆うように配置される断熱カバー２７を備える。これにより、断熱カバー２７により冷気が壁部２２ｂに直接当たるのを防ぎ、水の凍結を局所的に遅くすることができるので、脱気経路を確保することができる。これにより、脱気効率を向上させることができるので、より透明度の高い氷を製氷することができる。また、ヒータ２６を覆うように断熱カバー２７を配置することによって、熱が逃げるのを抑制し、加熱効率を向上させることができる。
【００５７】
第２実施形態のその他の効果は、上記第１実施形態と同様である。
【００５８】
＜第３実施形態＞
この第３実施形態では、図５を参照して、上記第１および第２実施形態とは異なり、第１電極２３および第２電極２４が壁部２２ｂの外壁面に設けられている場合について説明する。
【００５９】
本発明の第３実施形態では図５に示すように、第１電極２３および第２電極２４は、壁部２２ｂの外壁面に設けられている。製氷皿２１は導電性を有しており、金属の微粒子が含有されたプラスチック等により形成されている。この製氷皿２１は、壁部２２ｂの厚み方向に導電性を有する一方、面方向には導電性を有しない。
【００６０】
また、第１電極２３を覆うように、断熱シール（断熱部材）２８が貼り付けられている。断熱シール２８は水位線２１ａよりも上側まで配置されている。
【００６１】
第３実施形態のその他の構造は、上記第１および第２実施形態と同様である。
【００６２】
本実施形態では、上記のように、製氷皿２１が導電性を有することにより、第１電極２３を壁部２２ｂの外壁面に設けることができる。そして、第１電極２３を壁部２２ｂの外壁面に設ける（内壁面に設けない）ことによって、第１電極２３の一部または全体が製氷ポケット２２から剥離して氷の内部に混入するリスクを無くすことができる。
【００６３】
また、上記のように、壁部２２ｂの少なくとも一部を覆うように配置される断熱シール２８を備える。これにより、断熱シール２８により冷気が壁部２２ｂに直接当たるのを防ぎ、水の凍結を局所的に遅くすることができるので、脱気経路を確保することができる。これにより、脱気効率を向上させることができるので、より透明度の高い氷を製氷することができる。
【００６４】
第３実施形態のその他の効果は、上記第１および第２実施形態と同様である。
【００６５】
上記実施形態では、第１電極に正電位を印加した例について説明したが、本発明はこれに限らない。気泡が正に帯電する場合は、第１電極に負電位を印加すればよい。
【００６６】
また、上記実施形態では、第２電極を接地した例について説明したが、第２電極に負電位を印加してもよい。
【００６７】
また、上記実施形態では、第１電極と第２電極との両方を設けた例について示したが、第２電極を設けず、第１電極のみを設けてもよい。
【００６８】
また、上記実施形態では、各製氷ポケットに第１電極と第２電極とを設けた例について示したが、複数の製氷ポケットに対して１つずつだけ第１電極および第２電極を設けてもよい。
【００６９】
また、上記第１および第２実施形態とは異なり、電極（第１電極および第２電極）を別の部材で覆って、電極が水に直接接触しないようにしてもよい。
【００７０】
また、上記第２実施形態では、加熱部材と断熱部材との両方を設けた例について示したが、加熱部材のみを設けてもよい。
【００７１】
また、上記実施形態では、第１電極を壁部の下部に設けた例について示したが、本発明はこれに限らない。氷の凍結が遅いことや集めた気泡を逃がすことを考慮して、第１電極の配置位置を決定すればよい。
【００７２】
また、上述した実施形態の構成を適宜組み合わせて得られる構成についても、本発明の技術的範囲に含まれる。
【符号の説明】
【００７３】
１  冷蔵庫
２０  製氷装置
２１  製氷皿
２１ａ  水位線
２２  製氷ポケット
２２ａ  底部
２２ｂ  壁部
２２ｃ  溝部
２３  第１電極
２４  第２電極
２６  ヒータ（加熱部材）
２７  断熱カバー（断熱部材）
２８  断熱シール（断熱部材）
【図１】
2014066460.tif 000003
【図２】
2014066460.tif 000004
【図３】
2014066460.tif 000005
【図４】
2014066460.tif 000006
【図５】
2014066460.tif 000007